(57)【要約】      （修正有）【課題】スマートフォンを安全に収容して傷や衝撃から保護することができ、体裁も良く、スマートフォンを使用したいときには簡単かつ速やかにそれが可能であり、スマートフォン収容部にスマートフォンを収容したままでそれを操作することができるスマートフォンの収容部を備えたポーチを提供する。【解決手段】ボディ部１０の収納口および前身頃を覆うフラップ部１２を有するポーチである。ボディ部の前身頃の外面に、スマートフォンを収容するマチ付きポケット１６を一体的に設け、マチ付きポケットの前面に、スマートフォンのディスプレイ部に対応する大きさの開口部２０を形成し、その開口部に透明シート２２を張設し、透明シートを介在させてマチ付きポケット内のスマートフォンをタッチ操作できるようにした。【選択図】図１
0003185973.tif 000002
【実用新案登録請求の範囲】
【請求項１】
ボディ部の収納口および前身頃を覆うフラップ部を有しスマートフォンの収容部を備えたポーチにおいて、
前記ボディ部の前身頃の外面に、出し入れ口を有しスマートフォンを収容するマチ付きポケットを一体的に設け、そのマチ付きポケットの前面に、スマートフォンのディスプレイ部に対応する大きさの開口部を形成して、その開口部に透明シートを張設し、その透明シートを介在させてマチ付きポケット内のスマートフォンをタッチ操作することができるようにしたことを特徴とする、スマートフォンの収容部を備えたポーチ。
【請求項２】
前記フラップ部の裏面側に、携帯充電器を収納する充電器収納ポケットを設け、前記マチ付きポケットのマチ部に、携帯充電器に接続された充電ケーブルのコネクタをスマートフォンの端子に接続するための開口を設けた請求項１に記載の、スマートフォンの収容部を備えたポーチ。
【請求項３】
前記フラップ部の裏面側に、外部イヤフォンを収納するイヤフォン収納ポケットを設け、前記マチ付きポケットのマチ部に、イヤフォンプラグをスマートフォンのジャックに差し込むための開口を設けた請求項１または請求項２に記載の、スマートフォンの収容部を備えたポーチ。
【請求項４】
前記ボディ部の後身頃の内側裏面に、ＩＣカードを収納するカード収納ポケットを設けた請求項１ないし請求項３のいずれかに記載の、スマートフォンの収容部を備えたポーチ。
【考案の詳細な説明】
【技術分野】
【０００１】
この考案は、スマートフォン（多機能携帯電話）を安全に収容するための収容部を備えたポーチに関する。
【背景技術】
【０００２】
スマートフォンは、本体を傷や衝撃から保護するためにケースやカバーを装着して使用されており、多種多様なケースやカバーが市販されている。また、携行するのに便利なように、あるいはファッションアイテムとして、革製、ビニール製、布製等のスマートフォン専用のポーチやポシェットも市販され使用されている。
【０００３】
一方、かばんやバッグ類に、携帯電話を収容する収容部を設ける、といったことも従来から行われている。例えば、かばん本体の外部の側部やマチ部等に携帯電話の収納ポケットを設け、その収納ポケットの側周にファスナを取り付け、さらに、収納ポケットの前面を透明にするとともに前面上部に多数の小孔を設けた携帯電話収納ポケット付かばんが提案されている（例えば、特許文献１参照。）。また、財布ケース体の内部に内設された財布本体に、貨幣収容部と共にスマートフォン収容部を設けた財布が提案され、さらに、スマートフォン収容部を構成するスマートフォン保持体にスマートフォン操作用開口部を貫通形成し、スマートフォンをスマートフォン収容部に収容した状態でもスマートフォン操作用開口部を介してスマートフォンの液晶部にタッチしてスマートフォンを操作したりスマートフォンの液晶部を見ることができるようにした財布が考案されている（例えば、特許文献２参照。）。
【先行技術文献】
【特許文献】
【０００４】
【特許文献１】実開平６−２９４２６号公報（第４頁、図１、図２）
【特許文献２】登録実用新案第３１７７９０１号公報（第５−８頁、図２−図９）
【考案の概要】
【考案が解決しようとする課題】
【０００５】
スマートフォンの専用ケースやカバーは、単に本体を傷や衝撃から保護するだけの機能しか有しておらず、また、スマートフォン専用のポーチやポシェットも、スマートフォンを収容するだけである。一方、特許文献１に開示されているような携帯電話収納ポケット付かばんは、小物類等の入れ物としての本来の機能のほか、携帯電話を収容する機能を併せ持つが、かばん本体の外部に携帯電話の収納ポケットを設けた構成では、携帯電話を衝撃等から保護する、といった観点からは問題があり、外観上の体裁も余り良くない。また、特許文献２に開示されているような構成の財布では、スマートフォンを使用しようとするごとに、財布をバッグやかばんから取り出し、財布を開いて財布の中からスマートフォンを取り出す必要がある。スマートフォンをスマートフォン収容部に収容した状態でスマートフォンを操作する場合であっても、財布をバッグやかばんから取り出す必要があり、また、財布を開いたままでスマートフォンを操作したり液晶部を見たりするため、防犯面での問題もある。
【０００６】
この考案は、以上のような事情に鑑みてなされたものであり、小物類等の入れ物としての機能を持つとともに、スマートフォンを安全に収容して傷や衝撃から保護することができ、体裁も良く、スマートフォンを使用したいときには簡単かつ速やかにそれが可能であり、スマートフォン収容部にスマートフォンを収容したままでスマートフォンを操作したりディスプレイ部を見たりすることができ、その際における防犯面での問題も特に無く、スマートフォンを落としたりする心配も全く無いポーチを提供することを目的とする。
【課題を解決するための手段】
【０００７】
請求項１に係る考案は、ボディ部の収納口および前身頃を覆うフラップ部を有しスマートフォンの収容部を備えたポーチにおいて、前記ボディ部の前身頃の外面に、スマートフォンを収容するマチ付きポケットを一体的に設け、そのマチ付きポケットは出し入れ口を有し、また、マチ付きポケットの前面に、スマートフォンのディスプレイ部に対応する大きさの開口部を形成して、その開口部に透明シートを張設したことを特徴とする。
【０００８】
請求項２に係る考案は、請求項１に記載のポーチにおいて、前記フラップ部の裏面側に、携帯充電器を収納する充電器収納ポケットを設け、前記マチ付きポケットのマチ部に、携帯充電器に接続された充電ケーブルのコネクタをスマートフォンの端子に接続するための開口を設けたことを特徴とする。
【０００９】
請求項３に係る考案は、請求項１または請求項２に記載のポーチにおいて、前記フラップ部の裏面側に、外部イヤフォンを収納するイヤフォン収納ポケットを設け、前記マチ付きポケットのマチ部に、イヤフォンプラグをスマートフォンのジャックに差し込むための開口を設けたことを特徴とする。
【００１０】
請求項４に係る考案は、請求項１ないし請求項３のいずれかに記載のポーチにおいて、前記ボディ部の後身頃の内側裏面に、ＩＣカードを収納するカード収納ポケットを設けたことを特徴とする。
【考案の効果】
【００１１】
請求項１に係る考案のポーチにおいては、ボディ部の前身頃の外面に一体的に設けられたマチ付きポケット内にスマートフォンを収容してフラップ部で前身頃を覆うことにより、スマートフォンを安全に収容して傷や衝撃から保護することができ、スマートフォンを収容したマチ付きポケットはフラップ部で隠されるので、外観上の体裁も良い。スマートフォンを使用したいときには、ボディ部に対してフラップ部を開くだけで簡単かつ速やかにスマートフォンの使用が可能になる。また、スマートフォンを収容するマチ付きポケットの前面には開口部が形成されてその開口部に透明シートが張設されているので、マチ付きポケット内にスマートフォンを収容したままで、透明シートを介在させてスマートフォンをタッチ操作したりディスプレイ部を見たりすることができる。この際、ポーチは通常肩掛けされた状態であるので、防犯面でも安心である。また、スマートフォンをマチ付きポケットに収容したままで使用するので、スマートフォンの取り出し時にスマートフォンを落とす、といったような心配が全く無い。
【００１２】
請求項２に係る考案のポーチでは、マチ付きポケット内にスマートフォンを収容したまま外出先でも充電することができ、便利である。
【００１３】
請求項３に係る考案のポーチでは、マチ付きポケット内にスマートフォンを収容したまま外部イヤフォンを通して音楽等を聴くことができ、便利である。
【００１４】
請求項４に係る考案のポーチでは、カード収納ポケット内にＩＣカードを収納することができ、便利である。
【図面の簡単な説明】
【００１５】
【図１】この考案の実施形態の１例を示し、スマートフォンの収容部を備えたポーチの外観斜視図であって、ボディ部に対してフラップ部を開きスマートフォンを操作することができる状態を示す図である。
【図２】図１に示したポーチの外観斜視図であって、ボディ部にフラップ部を被せて普通に携行するときの状態を示す図である。
【図３】図１に示したポーチを背面側から見た図である。
【考案を実施するための形態】
【００１６】
以下、この考案の最良の実施形態について図面を参照しながら説明する。
図１および図２に示すように、このポーチは、小物類を収容する収容部を有するボディ部（胴）１０、および、ボディ部１０の上辺部分に連接してボディ部１０の収納口および前身頃を覆うフラップ部（かぶせ）１２から構成されている。
【００１７】
ボディ部１０は、前身頃、後身頃、両横マチおよび底マチで構成されており、ボディ部１０の上辺部に、収容部の出し入れ口を開閉するファスナ１４が設けられている。そして、ボディ部の前身頃の外面に、スマートフォンを収容するマチ付きポケット１６が縫着されて一体的に設けられている。マチ付きポケット１６の天マチ部には、ファスナ１８が取着されたスマートフォンの出し入れ口が設けられている。マチ付きポケット１６の前面には、スマートフォンのディスプレイ部に対応する大きさの開口部２０が形成されており、その開口部２０に透明シート２２が張設されている。透明シート２２としては、それを介在させてスマートフォンの液晶画面をタッチ操作（タップ、フリック、ピンチ等）することができる材質や厚みのものが使用される。また、透明シート２２には、マチ付きポケット１６内にスマートフォンを収容したままで通話することができるように、マイクロフォン用および内部イヤフォン用の孔２４ａ、２４ｂが穿設されている。さらに、マチ付きポケット１６の横マチ部に、携帯充電器（モバイルバッテリ）に接続された充電ケーブルのコネクタをスマートフォンの端子に接続したりイヤフォンプラグをスマートフォンのジャックに差し込んだりするための開口２６が形設されている。
【００１８】
フラップ部１２の裏面側には、携帯充電器を収納する充電器収納ポケット２８が設けられ、その出し入れ口にファスナ３０が取着されている。また、フラップ部１２の裏面側には、外部イヤフォンを収納するイヤフォン収納ポケット３２が設けられ、その出し入れ口にファスナ３４が取着されている。ボディ部１０とフラップ部１２との連接部分の両側部にはカン（リング）３６が取り付けられており、図２に示すように、カン３６に連結されるナスカン３８を両端部に有するチェーンストラップ等のショルダーストラップ（提げ紐）４０を備えている。また、ボディ部１０の後身頃には、出し入れ口にファスナ４２が取着された収容部４４が形成されており、その収容部４４の内側裏面に、ＩＣカード４６を収納するカード収納ポケット４８が設けられている。
【００１９】
上記したように構成されたポーチは、図２に示したように、マチ付きポケット１６内にスマートフォンを収容してそのマチ付きポケット１６を覆うようにフラップ部１２をボディ部１０に被せ、ショルダーストラップ４０を斜め掛けするなどして携行される。そして、スマートフォンを使用したいときには、ポーチを肩掛けしたままで、図１に示したように、ボディ部１０に対してフラップ部１２を開いてマチ付きポケット１６を露出させる。この状態のままで、マチ付きポケット１６の前面の透明シート２２を介在させてマチ付きポケット１６内のスマートフォンをタッチ操作し、また、ディスプレイ部を見たり通話したりする。
【産業上の利用可能性】
【００２０】
この考案は、バッグ・装飾品やファッション雑貨・小物などを製造し販売する産業分野で利用される。
【符号の説明】
【００２１】
１０  ボディ部
１２  フラップ部
１４、１８、３０、３４、４２  ファスナ
１６  マチ付きポケット
２０  開口部
２２  透明シート
２６  開口
２８  充電器収納ポケット
３２  イヤフォン収納ポケット
４０  ショルダーストラップ
４４  収容部
４８  カード収納ポケット
【図１】
0003185973.tif 000003
【図２】
0003185973.tif 000004
【図３】
0003185973.tif 000005